(57)【要約】【課題】本発明は、表裏のいずれを使用しても、枕の使用者には表側の使用か裏側の使用かの区別がつかず、違和感を感じさせないリバーシブル使用が可能な枕カバーを提供することを目的とする。【解決手段】本発明に係る枕カバーＡは、同幅の前生地部１０ａと後生地部１０ｂと、幅を揃えて重ね合わせた前生地部及び後生地部の長さ方向の一方の端部により形成された閉塞部１１と、前生地部及び後生地部の左右両側端部をそれぞれ縫着した縫着部１２ａｂよりなる両側部１２、１３と、前記閉塞部に対向する前生地部及び後生地部の他方の端部により形成された開口部１４とからなる袋状の枕カバーにおいて、前記両側部における左右両側端部の縫着部１２ａｂが、両側部を広げた生地面から立ち上がらないように縫着されていることを特徴とするものである。【選択図】        図２
2014144076.tif 000002
【特許請求の範囲】
【請求項１】
同幅の前生地部と後生地部と、幅を揃えて重ね合わせた前生地部及び後生地部の長さ方向の一方の端部により形成された閉塞部と、前生地部及び後生地部の左右両側端部をそれぞれ縫着した縫着部よりなる両側部と、前記閉塞部に対向する前生地部及び後生地部の他方の端部により形成された開口部とからなる袋状の枕カバーにおいて、
前記両側部における左右両側端部の縫着部が、両側部を広げた生地面から立ち上がらないように縫着されている
ことを特徴とする枕カバー。
【請求項２】
前生地部及び後生地部が１枚の一定幅の長尺状生地を二つ折りにして形成され、
閉塞部が前生地部及び後生地部の二つ折り箇所から形成されてなる
ことを特徴とする請求項１に記載の枕カバー。
【請求項３】
両側部が、前後の生地部の左右両側端部を対向させ、互いに重ね合わせて縫着した縫着部よりなることを特徴とする請求項１又は２に記載の枕カバー。
【請求項４】
両側部が、前後の生地部の左右両側端部を同方向に揃えると共に重ね合わせて縫着した仮縫着部を前後の一方の生地部に重ね合わせて縫着した縫着部よりなることを特徴とする請求項１又は２に記載の枕カバー。
【請求項５】
閉塞部及び左右両側端部からなる両隅角部に通気孔を形成したことを特徴とする請求項１〜４に記載の枕カバー。
【請求項６】
生地がポリエステル３０％以上を含み、生地の端部がヒートカットにより凹凸状に切断されていることを特徴とする請求項１〜５に記載の枕カバー。
【発明の詳細な説明】
【技術分野】
【０００１】
本発明は、枕本体を覆うための枕カバーに関し、特にホテル等の宿泊施設で使用する枕カバーに関する。
【背景技術】
【０００２】
一般に、枕は枕本体を枕カバーにより覆った形態で使用され、ホテル等の宿泊施設で使用する枕については、当該枕カバーが通常袋状をなしている。そして、枕の使用後には、その都度、枕カバーから枕本体が取り出され、当該枕カバーのみがリネン工場等において洗浄及びアイロン掛けされ、宿泊施設において枕カバーに枕本体を収納して枕となり、各ベッド等に配置される。これら一連の過程において、枕カバーが袋状をなしているために枕本体を取り出した枕カバーは裏返った状態となっており、リネン工場等において裏返った枕カバーを表返す余分な手間が必要であった。
【０００３】
特許文献１には、２枚のパイル地、コットン地等のカバー部布体を縫合したものであって、枕本体上にひもによって取り付け、裏返して２回使用することが可能であり、表裏の両面の布質、色彩、模様の異なる布を使用すれば、その時々の雰囲気によって使い分けることができるリバーシブル枕カバーが示されているが、当該リバーシブル枕カバーは袋状をなすものではなく、ホテル等の宿泊施設では使用に適さない。
【０００４】
また、特許文献２には、表裏の意匠柄の区別がなく、ピロケースなどの寝具カバーに使用が可能な織物が示されているが、ピロケースそのものの構成については具体的に示されていない。
【０００５】
さらに、特許文献３には、布地の端縁の縫合方法として縁かがり縫いを採用することでリバーシブル使用ができる枕などの寝具を被う寝具カバーが示されている。当該文献に示される寝具カバーの形態としては、上布と下布の端縁全周を縫合し、上布の中央部分に寝具出入開口を形成した掛け布団カバーが示されている。また、平面長方形状の上布と下布が重ね合わせられ、それぞれの四辺の端縁を縫合し、長辺のひとつには上布と下布を縫合しない部分を設けて寝具出入開口とし、寝具出入開口と対向する側の長辺には、手を差し入れて寝具を袋内に引き入れるための手挿入開口を設けた掛布団用、敷き布団用又は毛布用の寝具カバーが示されている。さらに、２枚の上布及び下布を重ね合わせてそれぞれの端縁を縫合して袋状に形成され、上布の端縁の上方には上布の端縁が被せられて配置され、上布と上布の間に寝具出入開口を形成した掛け布団カバーが示されている。さらにまた、図１３に示すように、長尺帯状の布地が折返し部で折り返され、上布１０１及び下布１０２として重ね合わせてそれぞれの２辺の端縁を縁かがり縫いにより縫合して袋状に形成した枕カバーが示されている。
【先行技術文献】
【特許文献】
【０００６】
【特許文献１】実開平１−８６８７０号全文明細書
【特許文献２】特開２００７−３１８５９号公報
【特許文献３】実用新案登録第３１０４７６７号
【発明の概要】
【発明が解決しようとする課題】
【０００７】
しかしながら、上記特許文献３に記載の枕カバーは、縁かがり縫いを採用したとしても、多少なりとも縫着部が生地面から立ち上がるために、枕カバーを縫着部が露出する側で使用した場合には枕カバーの裏側を使用していることが明確に判るので、枕の使用者に対して不快感を与えるおそれがある。
【０００８】
そこで本発明者は、鋭意研究を重ね、表裏のいずれを使用しても、枕の使用者には表側の使用か裏側の使用かの区別がつかず、違和感を感じさせないリバーシブル使用が可能な枕カバーを開発した。
【課題を解決するための手段】
【０００９】
本発明に係る請求項１に記載の枕カバーは、同幅の前生地部と後生地部と、幅を揃えて重ね合わせた前生地部及び後生地部の長さ方向の一方の端部により形成された閉塞部と、前生地部及び後生地部の左右両側端部をそれぞれ縫着した縫着部よりなる両側部と、前記閉塞部に対向する前生地部及び後生地部の他方の端部により形成された開口部とからなる袋状の枕カバーにおいて、前記両側部における左右両側端部の縫着部が、両側部を広げた生地面から立ち上がらないように縫着されていることを特徴とするものである。
【００１０】
上記のように枕カバーを構成したことにより、両側部の縫着部が、両側部を広げた生地面から立ち上がらないように縫着されているので、当該枕カバーの両側部の縫着部が目立たず、当該枕カバーの内部に枕本体を収納して使用しても支承は生じない。また、当該枕カバーを表裏反転させても、両側部の縫着部が目立たず、表裏反転後の枕カバーの内部に枕本体を収納して使用しても支承は生じない。したがって、リバーシブル使用をしても、使用者に違和感を与えない。
【００１１】
また、請求項２に記載の枕カバーは、上記請求項１に記載の枕カバーにおいて、前生地部及び後生地部が１枚の一定幅の長尺状生地を二つ折りにして形成され、閉塞部が前生地部及び後生地部の二つ折り箇所から形成されてなるように構成してもよい。このように長尺状生地を二つ折りにして枕カバーを構成すれば、それだけで閉塞部が形成されるので、製造しやすく、製造コストを低減させる。
【００１２】
さらに、請求項３に記載の枕カバーは、上記請求項１又は２に記載の各枕カバーにおいて、両側部が、前後の生地部の左右両側端部を対向させ、互いに重ね合わせて縫着した縫着部よりなる構成としてもよい。このように両側部を形成する縫着部を構成すれば、縫着部が２枚重ねの生地を縫着しただけの扁平な構造となり、かつ、縫着部における表裏の外観が変わらないのでさらにリバーシブル使用に適したものとなる。
【００１３】
さらに、請求項４に記載の枕カバーは、上記請求項１又は２に記載の各枕カバーにおいて、両側部が、前後の生地部の左右両側端部を同方向に揃えると共に重ね合わせて縫着した仮縫着部を前後の一方の生地部に重ね合わせて縫着した縫着部よりなる構成としてもよい。このように両側部を形成する縫着部を構成すれば、縫着部の強度が増大するので、枕カバーの耐久性が向上する。
【００１４】
また、請求項５に記載の枕カバーは、上記請求項１〜４に記載の枕カバーにおいて、閉塞部及び左右両側端部からなる両隅角部に通気孔を形成した構成としてもよい。このように両隅角部に通気孔を形成した構成とすれば、両側部の縫着が容易となるので製造し易く、また、枕カバー内に枕本体を出し入れする際にそれに伴って枕カバー内の空気と枕カバー外の空気とが出入するので枕本体の出し入れ作業が行いやすくなる。
【００１５】
さらに、請求項６に記載の枕カバーは、上記請求項１〜５に記載の枕カバーにおいて、生地がポリエステル３０％以上を含み、生地の端部がヒートカットにより凹凸状に切断された構成としてもよい。このように生地の端部をヒートカットにより凹凸状に切断した構成とすれば、生地端部から糸が抜けるなどの解れが生じない。
【発明の効果】
【００１６】
上記した本発明に係る枕カバーは、表側を使用しても、裏側を使用しても、枕の使用者には表側の使用か裏側の使用かの区別がつかず、違和感を感じさせないリバーシブル使用が可能な枕カバーを提供することができる。
【図面の簡単な説明】
【００１７】
【図１】本発明の実施例１に係る枕カバーの正面から見た斜視図である。
【図２】実施例１に係る枕カバーの側面から見た斜視図である。
【図３】実施例１に係る枕カバーのＩＩＩ−ＩＩＩ線断面図である。
【図４】実施例１に係る枕カバーの縫着部の構造を示す一部断面斜視図である。
【図５】実施例１に係る枕カバーの縫着前の長尺状の生地を二つ折りした状態を示す概略斜視図である。
【図６】実施例１に係る枕カバーの底部を表す斜視図であって、（ａ）は縫着前の図であり、（ｂ）は縫着後の図である。
【図７】実施例２に係る枕カバーの縫着部の構造を示す断面図である。
【図８】実施例２に係る枕カバーの縫着部の製作過程を示す一部断面斜視図である。
【図９】実施例２に係る枕カバーの縫着部の構造を示す一部断面斜視図である。
【図１０】実施例３に係る枕カバーの縫着前の状態を示す概略斜視図である。
【図１１】実施例４に係る枕カバーの底部を表す斜視図であって、（ａ）は縫着前の図であり、（ｂ）は縫着後の図である。
【図１２】実施例５に係る枕カバーの底部を表す斜視図であって、（ａ）は縫着前の図であり、（ｂ）は縫着後の図である。
【図１３】従来例の枕カバーを示す一部省略断面図である。
【発明を実施するための形態】
【００１８】
以下に、本発明に係る枕カバーの好適な実施例につき図面に基づいて詳述する。
【実施例１】
【００１９】
図１〜図６は本発明に係る枕カバーの実施例１を示す。図１においてＡは枕カバーを示す。当該枕カバーＡは、１枚の一定幅の長尺状生地１０を二つ折りにして形成されるものであって、閉塞部１１と、左側部１２及び右側部１３と、開口部１４と、閉塞部１１と左右の側部１２、１３との隅角部の通気孔１５とから構成される。閉塞部１１は、図５に示すように、長尺状生地１０を二つ折りにした前生地部１０ａ及び後生地部１０ｂの下端である二つ折り箇所により形成される。左側部１２は、前生地部１０ａの左側端部１２ａと後生地部１０ｂの左側端部１２ｂとを矢符ｐ１で示すように縫着することにより形成される左縫着部１２ａｂにより構成される。右側部１３は、前生地部１０ａの右側端部１３ａと後生地部１０ｂの右側端部１３ｂとを矢符ｐ２で示すように縫着することにより形成される右縫着部１３ａｂにより構成される。開口部１４は、上記の二つ折りした長尺状生地１０の閉塞部１１及び縫着した左右両側部を除く、前記閉塞部１１に対向する前生地部１０ａ及び後生地部１０ｂの他方の端部により形成される。
【００２０】
このように長尺状生地１０を二つ折りにして枕カバーＡを構成すれば、それだけで閉塞部１１が形成されるので、生産性が良く、製造コストを低減させる効果がある。
【００２１】
前記長尺状生地１０は、ポリエステル５０％、綿５０％からなる生地より構成され、長尺状生地１０の端部である全周囲はヒートカットにより凹凸状に切断されている。１０ｃは凹凸状の切断端縁を示す。なお、前記凹凸状の切断端縁１０ｃは、本実施例においては連続半円弧状としたが、これに限られるものではなく、ジグザク状又は波状であってもよい。このように長尺状生地１０の端部をヒートカットしたことにより、当該長尺状生地１０は、その端部から糸が抜けるなどの解れが生じない。なお、長尺状生地の構成材料としては、ポリエステル３０％以上であればヒートカットによりその端部における解れが生じず、ポリエステル３０％未満であればヒートカットしても解れが生じるおそれがある。また、長尺状生地１０の端部を凹凸状の切断端縁１０ｃにカットしたことにより、切断端縁１０ｃの外形線が凹凸に変化する分だけ直線状にカットした場合の外形線より長くなり、この長くなった切断端縁１０ｃがヒートカットにより固着されるので、より一層解れが生じなくなる。
【００２２】
左右両側部１２、１３を形成する左右の縫着部１２ａｂ、１３ａｂは、図３及び図４に示すように、左縫着部１２ａｂが前生地部１０ａの左側端部１２ａと後生地部１０ｂの左側端部１２ｂとを対向させ、互いに重ね合わせて縫着することにより形成される。また、右縫着部１３ａｂは前生地部１０ａの右側端部１３ａと後生地部１０ｂの右側端部１３ｂとを対向させ、互いに重ね合わせて縫着することにより形成される。このように左右両側部１２、１３を左右の縫着部１２ａｂ、１３ａｂにより構成すれば、左縫着部１２ａｂが、前後の生地部１０ａ、１０ｂの左側端部１２ａ、１３ａの２枚を重ねた生地を縫着し、右縫着部１３ａｂが前後の生地部１０ａ、１０ｂの右側端部１２ｂ、１３ｂの２枚を重ねた生地を縫着しただけの扁平な構造となって、これら縫着部１２ａｂ、１３ａｂは両側部１２、１３を広げた生地面から立ち上がることはなく、かつ、左右の縫着部１２ａｂ、１３ａｂにおける表裏の外観が変わらないのでさらにリバーシブル使用に適したものとなる。
【００２３】
なお、本実施例においては、図３に示すように、左縫着部１２ａｂは、前生地部１０ａの左側端部１２ａを内側にし、後生地部１０ｂの左側端部１２ｂを外側にして重ね合わされ、右縫着部１３ａｂは、前生地部１０ａの右側端部１３ａを外側にし、後生地部１０ｂの右側端部１３ｂを内側にして重ね合わされているので、左右の縫着部１２ａｂ、１３ａｂが左右対称となる。したがって、枕カバーＡの表裏を裏返しても左右対称の状態が変わらず、左右の縫着部１２ａｂ、１３ａｂは表裏が同一の状態となるので、本実施例における枕カバーＡは、より一層リバーシブル使用に適したものとなる。
【００２４】
通気孔１５は、閉塞部１１と左右両側部１２、１３との隅角部に形成されるものであるが、本実施例においては、図６に示すように、左右両側部１２、１３の下部において縫着部１２ａｂ、１３ａｂが折返し箇所に達しないように縫着し、その下方に無縫着の箇所を設けることにより構成される。左右両側部１２、１３においてその下部まで機械的に縫着することは実際上困難性を伴うものであるが、この困難性は左右両側部１２、１３の下部を無縫着とし、その箇所を通気孔１５とすることにより同時に解消されるので、枕カバーＡの製作が極めて容易となる。このように本実施例においては両隅角部に無縫着による通気孔１５が設けられた結果、両側部１２、１３の縫着が容易となるので枕カバーＡが製造し易くなる。また、枕カバーＡの閉塞部１１と左右両側部１２、１３との隅角部に設けたことにより、枕カバーＡ内に枕本体を収納するに伴って枕カバーＡ内の空気が通気孔１５から枕カバーＡ外に排出されるので枕本体の収納が容易となる。逆に枕カバーＡ内から枕本体を取り出す際に伴って枕カバーＡ外の空気が通気孔１５から枕カバーＡ内に侵入するので枕本体の取り出しが容易となる。
【００２５】
以上のように、本実施例に係る枕カバーＡは、上記のように左右両側部１２、１３の左右縫着部１２ａｂ、１３ａｂが、両側部１２、１３を広げた生地面から立ち上がらないように縫着されているので、当該枕カバーＡの両側部１２、１３における両縫着部１２ａｂ、１３ａｂが目立たず、当該枕カバーＡの内部に枕本体を収納して使用しても支承は生じない。また、当該枕カバーＡを表裏反転させても、両側部１２、１３の縫着部１２ａｂ、１３ａｂが目立たず、表裏反転後の枕カバーＡの内部に枕本体を収納して使用しても支承は生じない。したがって、当該枕カバーＡをリバーシブル使用をしても、使用者に違和感を与えない。
【実施例２】
【００２６】
図７〜図９は本発明に係る枕カバーの実施例２を示す。実施例２は、実施例１における縫着部１２ａｂ、１３ａｂを変更したものであり、それ以外の実施例１と同様の構成については、その説明を省略する。
【００２７】
実施例２における枕カバーＢの左側部２２を形成する左縫着部２２ａｂは、図８に示すように、前生地部２０ａの左側端部２２ａと後生地部２０ｂの左側端部２２ｂとを枕カバーＢの外方に向けて同方向に揃えると共に重ね合わせて仮縫着部２６ａｂを形成し、そして、この仮縫着部２６ａｂを、図９に示すように、前生地部２０ａ側に重ね合わせて仮縫着部２６ａｂと前生地部２０ａとを縫着することにより形成される。また、右側部２３を形成する右縫着部２３ａｂは、前生地部２０ａの右側端部２３ａと後生地部２０ｂの右側端部２３ｂとを枕カバーＢの内方に向けて同方向に揃えると共に重ね合わせて仮縫着部２７ａｂを形成し、そして、この仮縫着部２７ａｂを後生地部２０ｂ側に重ね合わせて仮縫着部２７ａｂと後生地部２０ｂとを縫着することにより形成される。実際の縫着作業は生地を裏返すことにより同作業として行うことができる。
【００２８】
なお、本実施例においては、図７に示すように、左縫着部２２ａｂは、前生地部２０ａの左側端部２２ａの外側に仮縫着部２６ａｂを重ね合わして縫着され、右縫着部２３ａｂは、後生地部２０ｂの右側端部２３ａの内側に仮縫着部２７ａｂを重ね合わして縫着されているので、左右の縫着部２２ａｂ、２３ａｂを裏返すと左右の縫着部２２ａｂ、２３ａｂは左右対称の形態となる。したがって、枕カバーＢの表裏を裏返しても、左右の縫着部２２ａｂ、２３ａｂの状態が左右で対称的に変化するだけで枕カバーＢとしては表裏同一の形態となるので、より一層リバーシブル使用に適したものとなる。
【００２９】
このように本実施例における枕カバーＢは、左右両側部２２、２３を構成する左右の両縫着部２２ａｂ、２３ａｂにより形成されているため、縫着部２２ａｂ、２３ａｂの強度が増大するので、耐久性が向上した枕カバーＢとなる。
【実施例３】
【００３０】
図１０は本発明に係る枕カバーの実施例３を示す。実施例３は、実施例１における長尺状生地１０を変更したものであり、それ以外の実施例１と同様の構成については、その説明を省略する。
【００３１】
本実施例の枕カバーＣは、長尺状生地を使用せず、図１０に示すように、長尺状生地の約半分の長さである同幅で同長さの２枚の生地を使用し、その一方を前生地部３０ａとし、他方を後生地部３０ｂとして構成されたものである。
【００３２】
そして、図において、前生地部３０ａにおける下端３７ａと後生地部３０ｂの下端３７ｂとを矢符ｐ３で示すように縫着し、実施例１における図５に示すような二つ折りした形態となる。これらの下端３７ａ、３７ｂは、連続半円弧状にヒートカットカットされており、下端３７ａ、３７ｂの縫着部は、実施例１における縫着部１２ａｂ、１３ａｂと同様の形態に縫着する。なお、実施例２における縫着部２２ａｂ、２３ａｂと同様の形態に縫着してもよい。その後は、実施例１と同様に左右両側部を縫製加工することにより本実施例における枕カバーＣが完成する。
【００３３】
このように本実施例に係る枕カバーＣは、長尺状の生地を使用せず、その約半分の長さの生地で構成されるので、生地を裁断する際に生地の無駄が削減できる利点がある。
【実施例４】
【００３４】
図１１は本発明に係る枕カバーの実施例４を示す。実施例４は、実施例１における通気孔１５を変更したものであり、それ以外の実施例１と同様の構成については、その説明を省略する。
【００３５】
本実施例における枕カバーＤは、図１１に示すように、前生地部４０ａ及び後生地部４０ｂの下部を長さ方向に所定長さ切断することにより切り欠き部４８ａ、４８ｂを形成し、当該切り欠き部４８ａ、４８ｂを縫着しないことにより通気孔４５が形成されたものである。
【００３６】
このように通気孔４５を形成することとすると、前記切り欠き部４８ａ、４８ｂを除外して前生地部４０ａの左右両側端部４２ａ、４３ａと後生地部４０ｂの左右両側端部４２ｂ、４３ｂとをその全長にわたって縫着するだけで通気孔４５が形成されるので、実施例１のように前生地部１０ａ及び後生地部１０ｂの下部の縫着の困難性を回避しつつ無縫着の箇所を形成して通気孔１５を形成するような制約がなくなり、生産性を向上させる利点がある。なお、実施例１のように長尺状生地を使用せずに実施例３のように２枚の生地を使用して構成してもよい。
【実施例５】
【００３７】
図１２は本発明に係る枕カバーの実施例５を示す。実施例５は、実施例１における通気孔１５を変更したものであり、それ以外の実施例１と同様の構成については、その説明を省略する。
【００３８】
本実施例における枕カバーＥは、図１２に示すように、前生地部５０ａ及び後生地部５０ｂの下部を幅方向に所定長さ切断することにより切り欠き部５８ａ、５８ｂを形成し、当該切り欠き部５８ａ、５８ｂを縫着しないことにより通気孔５５が形成されたものである。
【００３９】
このように通気孔５５を形成することとすると、前記切り欠き部５８ａ、５８ｂを除外して前生地部５０ａの左右両側端部５２ａ、５３ａと後生地部５０ｂの左右両側端部５２ｂ、５３ｂとをその全長にわたって縫着するだけで通気孔５５が形成されるので、実施例１のように前生地部１０ａ及び後生地部１０ｂの下部の縫着の困難性を回避しつつ無縫着の箇所を形成して通気孔１５を形成するような制約がなくなり、生産性を向上させる利点がある。なお、実施例１のように長尺状生地を使用せずに実施例３のように２枚の生地を使用して構成してもよい。
【００４０】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【産業上の利用可能性】
【００４１】
本発明に係る枕カバーは、ホテル等の宿泊施設おいて利用できるのみならず、家庭用としても利用できるものである。
【符号の説明】
【００４２】
Ａ・・・・枕カバー            １０・・・長尺状生地
１０ａ・・前生地部            １０ｂ・・後生地部
１０ｃ・・凹凸状の切断端縁    １１・・・閉塞部
１２・・・左側部              １２ａ・・前生地部の左側端部
１２ｂ・・後生地部の左側端部  １２ａｂ・左縫着部
１３・・・右側部              １３ａ・・前生地部の右側端部
１３ｂ・・後生地部の右側端部  １３ａｂ・右縫着部
１４・・・開口部              １５・・・通気孔
Ｂ・・・・枕カバー
２０ａ・・前生地部            ２０ｂ・・後生地部
２２・・・左側部              ２２ａ・・前生地部の左側端部
２２ｂ・・後生地部の左側端部  ２２ａｂ・左縫着部
２３・・・右側部              ２３ａ・・前生地部の右側端部
２３ｂ・・後生地部の右側端部  ２３ａｂ・右縫着部
２６ａｂ・仮縫着部            ２７ａｂ・仮縫着部
Ｃ・・・・枕カバー
３０ａ・・前生地部            ３０ｂ・・後生地部
３７ａ・・前生地部の下端      ３７ｂ・・後生地部の下端
Ｄ・・・・枕カバー            ４０ａ・・前生地部
４０ｂ・・後生地部            ４２ａ・・前生地部の左側端部
４２ｂ・・後生地部の左側端部  ４３ａ・・前生地部の右側端部
４３ｂ・・後生地部の右側端部  ４５・・・通気孔
４８ａ・・切り欠き部          ４８ｂ・・切り欠き部
Ｅ・・・・枕カバー            ５０ａ・・前生地部
５０ｂ・・後生地部            ５２ａ・・前生地部の左側端部
５２ｂ・・後生地部の左側端部  ５３ａ・・前生地部の右側端部
５３ｂ・・後生地部の右側端部  ５５・・・通気孔
５８ａ・・切り欠き部          ５８ｂ・・切り欠き部
【図１】
2014144076.tif 000003
【図２】
2014144076.tif 000004
【図３】
2014144076.tif 000005
【図４】
2014144076.tif 000006
【図５】
2014144076.tif 000007
【図６】
2014144076.tif 000008
【図７】
2014144076.tif 000009
【図８】
2014144076.tif 000010
【図９】
2014144076.tif 000011
【図１０】
2014144076.tif 000012
【図１１】
2014144076.tif 000013
【図１２】
2014144076.tif 000014
【図１３】
2014144076.tif 000015